(57)【特許請求の範囲】
【請求項１】
コンクリートボックス内に挿入した合成樹脂製円筒の外周面上部に、前記コンクリートボックスの内周面に嵌着する第１ハットを取りつけ、前記第１ハットはゴム製品又は可撓性のある合成樹脂製品からなり、前記第１ハットのハット縁に水はけ又は切り欠きを形成すると共に、前記合成樹脂製円筒の内周面下部に水道仕切弁のフランジカバーに嵌着する第２ハットを固着し、前記第２ハットはゴム製品又は可撓性のある合成樹脂製品からなり、前記第２ハットのハット縁に水抜き穴を設けたことを特徴とする水道仕切弁の保護カバー。
【発明の詳細な説明】
【０００１】
【発明の属する技術分野】
本発明は、道路下に埋設される水道管の水道仕切弁の保護カバーに関する。
【０００２】
【従来の技術】
従来の水道仕切弁１は、図９に示すように、水道仕切弁１を囲んで保護するコンクリートボックス２を、水道管１ａの上に、砂土３を介して、設置していたが、水道管１ａの地下埋設が、浅埋できるように、国道等の道路の埋設深さの基準が緩和されてきた。これに伴い、水道仕切弁１も小型化されてきた。
しかし、これを維持管理するコンクリートボックスは、従来形のコンクリートボックス２を使用すると、水道管１ａとコンクリートボックスベース４との距離が短くなり、このため、道路上の車両等の荷重の影響を受けやすくなり、水道管１ａのジョイント部分等からの水洩れが発生しやすくなる、また、道路上から仕切弁１を操作するスピンドル１ｂが操作しにくいなどの問題点を生じた。
そこで本発明者は、鋭意研究の結果、コンクリートボックスを浅埋形のものに変えてコンクリートボックスベースと浅埋された水道管との距離を大きくとるようにすると共に、コンクリートボックスに挿入された合成樹脂製の保護カバーを設けて、水道仕切弁のフランジより上方を雨水や土砂から保護できるようにして上記問題点を解決することに成功した。
【０００３】
【発明が解決しようとする課題】
すなわち、本発明は、水道仕切弁及び水道管が浅埋されても、道路面の荷重や雨水、土砂の流入等がこれらに影響しないようにしたコンクリートボックス内の水道仕切弁の保護カバーを提供するものである。
また、本発明は、メーカ毎に異なる水道仕切弁の形状に対応できる水道仕切弁の保護カバーを提供するものである。
【０００４】
【課題を解決するための手段】
すなわち、本発明水道仕切弁の保護カバーは、上記課題を達成するため、コンクリートボックス内に挿入した合成樹脂製円筒の外周面上部に、前記コンクリートボックスの内周面に嵌着する第１ハットを取りつけ、前記第１ハットはゴム製品又は可撓性のある合成樹脂製品からなり、前記第１ハットのハット縁に水はけ又は切り欠きを形成すると共に、前記合成樹脂製円筒の内周面下部に水道仕切弁のフランジカバーに嵌着する第２ハットを固着し、前記第２ハットはゴム製品又は可撓性のある合成樹脂製品からなり、前記第２ハットのハット縁に水抜き穴を設けたことを特徴とするものである。
【０００５】
【発明の実施の形態】
本発明の実施の形態が図１乃至図８に示されている。
以下、本発明の実施例の説明については、ゴム製品からなる第１ハットを「第１ゴムハット」と称し、ゴム製品からなる第２ハットを「第２ゴムハット」と称することとする。
本実施例の水道仕切弁の保護カバーは、合成樹脂製円筒１０と第１ゴムハット２０と第２ゴムハット３０とを備えている。
本発明において、第１ゴムハット２０は、図３又は図５に示すように、円筒１０の外周面１１上部に取りつけできるようにした可撓性の座金状のゴムハット縁２２を形成し、縁先２２１を曲げ下げることにより、コンクリートボックス４０の内周面４１に嵌着できるように形成されている。また、ハット縁２２は、適当数のそれより僅かに中心方向に短く、かつ、浅溝状の水はけ２３を一体的に形成している。 また、図６に示すように、水はけ２３の代わりに、ハット縁先２２１に切り欠きを設けた水はけ２３Ｂを設けたゴムハット２０Ｂに形成してもよい。
また、本発明において、第２ゴムハット３０は、円筒１０の内周面に固着できるようにした、可撓性の円板状のゴムハット３０を形成し、水道仕切弁５０のフランジカバー５１の外形に嵌合する開口部３３を設けて、円板状のゴムハット３０が開口部３３に向かつて曲げ上がって密着できるように形成されるものである。なお、第１ゴムハット２０又は２０Ｂは、第２ゴムハット３０は、ゴム製品の代わりに、可撓性のある合成樹脂製品でもよい。
合成樹脂製円筒１０は、ポリ塩化ビニル樹脂等の公知の合成樹脂製のものからなり、コンクリートボックス４０内からベース４２を通して挿入されるものである。
第１ゴムハット２０は、図１、図２、図３及び図４に示すように、合成樹脂製円筒１０の外周面１１上部に嵌合して固着するように取りつけられる短円筒部分２１と、その下端で連設する可撓性の座金状のゴムハット縁２２であつて、コンクリートボックス内周面４１に曲げ下げてハット縁先２２１を嵌着できるようにしたものとからなる。適当数設けられる水はけ２３は、ハット縁２２と一体成形されているが、それよりも僅かに中心方向に短く、かつ、浅溝を形成して排水できるようにしている。また、短円筒部分２１の代わりに、図５に示すコ字状部分２１Ｂを第１円筒１０の上端に嵌合して固着するように取りつけてもよい。
さらに、第１ゴムハット２０は、図６に示すように、前記短円筒部分２１又はコ字状部分２１Ｂと可撓性座金状のゴムハット縁２２とハット縁先２１１に切欠きを設けた水はけ２３Ｂとからなるもの２０Ｂでもよい。
第２ゴムハット３０は、図１、図７及び図８に示すように、合成樹脂製円筒１０の内周面１２下部に嵌合して固着する短円筒部分３１と、その下端で連設する水抜き穴３２１付きの円板状のゴムハット縁３２とからなつている。ゴムハット縁３２には開口部３３が設けられ、開口部３３は、水道仕切弁５０のフランジカバー５１の外形に嵌合するもので、ゴムハット縁３２をフランジカバー５１に沿って開口部３３から曲げ下げることにより密着される。
従って、水道管及び水道仕切弁５０を埋設の際に、コンクリートボックス４０のベース４２内に合成樹脂製円筒１０を挿入すれば、図１に示すように、円筒１０の外周面１１の上部に取りつけられた第１ゴムハット２０は、コンクリートボックス４０の内周面４１に嵌着し、また円筒１０の内周面１２の下部に取りつけられた第２ゴムハット３０は、水道仕切弁５０のフランジカバー５１に嵌着できることになる。
この場合、コンクリートボックスベース４２と水道管との間の距離は、第１ゴムハット２０がコンクリートボックス内周面を自由に移動して嵌着できることから、微少な調整が容易にできることになる。
また、コンクリートボックス４０内に軽量の合成樹脂製円筒１０を挿入したことから、道路面に作用する荷重は円筒１０に作用せず、このため水道仕切弁５０や水道管には何らの負担がかからない。
さらに、道路から流入する水は、第１ゴムハット２０の水はけ２３又は２３Ｂから砂土７０中に流出し、また、第２ゴムハット３０の水抜き穴３２１から砂土７０中に流出する。また、道路から流入した土砂は、その殆どが第１ゴムハット１０及び第２ゴムハット２０上に集積するので、定期的に回収すればよい。
【０００６】
【発明の効果】
本発明によれば、水道管及び水道仕切弁が浅埋形のコンクリートボックスと共に浅く埋設されても、コンクリートボックスに対する保護カバーの挿入によって、コンクリートブロックベースと水道管との距離が大きくとれ、また、道路面の荷重は、保護カバーによって水道仕切弁や水道管に作用することなく、さらに、道路から流入する水は、第１ハットの水はけ又は切り欠きから砂土中に流出し、第２ハットの水抜き穴から砂土中に流出し、雨水の流出や土砂の回収も容易になるなど、多くの利点をもたらす上に、本発明の保護カバーの筒長さを大きくとることにより、コンクリートボックス自体も１、２段程度の浅埋形で対応できることが可能になった。
【図面の簡単な説明】
【図１】本発明の実施の形態を示す全体説明図である。
【図２】図１に使用する第１ゴムハットの平面図である。
【図３】図２のＡ−Ａ断面説明図である。
【図４】図２のＡ−Ａ断面の別の説明図である。
【図５】図２に使用する別の第１ゴムハットの説明図である。
【図６】図１に使用する第１ゴムハットの別の平面図である。
【図７】図１に使用する第２ゴムハットの平面図である。
【図８】図７の断面図である。
【図９】従来例の説明図である。
【符号の説明】
１０    合成樹脂製円筒
１１    合成樹脂製円筒の外周面
１２    合成樹脂製円筒の内周面
２０、２０Ｂ    第１ゴムハット
３０    第２ゴムハット
４０    コンクリートボックス
４１    コンクリートボックスの内周面
５０    水道仕切弁
５１    フランジカバー
【図１】
0003899226.tif 000002
【図２】
0003899226.tif 000003
【図３】
0003899226.tif 000004
【図４】
0003899226.tif 000005
【図５】
0003899226.tif 000006
【図６】
0003899226.tif 000007
【図７】
0003899226.tif 000008
【図８】
0003899226.tif 000009
【図９】
0003899226.tif 000010